(57)【要約】  本発明は、電磁石構成ユニット及び弁カートリッジ（３０）を備える電磁弁であって、弁カートリッジはカプセル（３１）、カプセル（３１）と結合された弁挿入部分、及びカプセル（３１）内に可動に配置された接極子（３３）を含んでおり、接極子は作動ロッド（３４）及び、作動ロッドに設けられた第１の閉鎖部材（３４．１）を含んでおり、電磁石構成ユニットを用いて形成される磁力によって接極子（３３）を弁挿入体に向けて運動させるようになっており、該運動により第１の閉鎖部材（３４．１）は主弁座（４１）に入り込んで主弁座を閉鎖するようになっている形式のものにおいて、弁挿入部分は弁挿入スリーブ（３２）として形成してあり、弁挿入スリーブ内に弁スリーブ（４０）を押し込んであり、弁スリーブは主弁座（４１）を含んでいる。
2010510446.tif 000002
【特許請求の範囲】
【請求項１】
電磁弁であって、電磁石構成ユニット及び弁カートリッジ（３０，１３０，２３０）を備えており、前記弁カートリッジはカプセル（３１，１３１，２３１）、該カプセル（３１，１３１，２３１）と結合された弁挿入部分、及び前記カプセル（３１，１３１，２３１）内に可動に配置された接極子（３３，１３３，２３３）を含んでおり、前記接極子は作動ロッド（３４，１３４，２３４）及び、該作動ロッドに設けられた第１の閉鎖部材（３４．１，１３４．１，２３４．１）を含んでおり、前記電磁石構成ユニットを用いて形成される磁力によって前記接極子（３３，１３３，２３３）を前記弁挿入体に向けて運動させるようになっており、該運動により前記第１の閉鎖部材（３４．１，１３４．１，２３４．１）は主弁座（４１，１８１，２４１）に入り込んで該主弁座を閉鎖するようになっている形式のものにおいて、前記弁挿入部分は弁挿入スリーブ（３２，１３２，２３２）として形成してあり、該弁挿入スリーブ内に弁スリーブ（４０，１４０，２４０）を押し込んであり、該弁スリーブは主弁座（４１，１８１，２４１）を含んでいることを特徴とする電磁弁。
【請求項２】
前記弁スリーブ（４０）は深絞り部品として形成されており、該深絞り部品に、主弁座（４１）及び逆止弁用弁座（４２）を塑性変形加工により成形してある請求項１に記載の電磁弁。
【請求項３】
前記弁スリーブ（１４０）は下方の開かれた深絞り部品として形成されており、該深絞り部品内に弁本体（１８０）を押し込んであり、該弁本体（１８０）に、主弁座（１８１）及び逆止弁用弁座（１８２）を配置してある請求項１に記載の電磁弁。
【請求項４】
第１のフィルター（２５０）を設けてあり、該第１のフィルターは逆止弁用弁座（２５２）を含んでいる請求項１に記載の電磁弁。
【請求項５】
第２の閉鎖部材（４３，１８３，２５３）を設けてあり、該第２の閉鎖部材は、１つの容積流（７０，７１）の流れ方向に依存して前記逆止弁用弁座（４２，１８２，２５２）を閉鎖若しくは開放するようになっている請求項２から５のいずれか１項に記載の電磁弁。
【請求項６】
前記第２の閉鎖部材（４３，１８３，２５３）の行程は、第１のフィルター（５０，１５０，２５０）によって画定されている請求項５に記載の電磁弁。
【請求項７】
前記第２の閉鎖部材（４３，１８３，２５３）は、前記第１の閉鎖部材（３４．１，１３４．１，２３４．１）を用いて制御可能な第１の容積流（７０，１７０，２７０）によって前記逆止弁用弁座（４２，１８２，２５２）内へ押圧されて、該逆止弁用弁座と密に接触するようになっている請求項５又は６に記載の電磁弁。
【請求項８】
前記第２の閉鎖部材（４３，１８３，２５３）は、第２の容積流（７１，１７１，２７１）によって前記逆止弁用弁座（４２，１８２，２５２）から押し出されて、該逆止弁用弁座（４２，１８２，２５２）を開放するようになっている請求項５から７のいずれか１項に記載の電磁弁。
【請求項９】
前記弁スリーブ（４０，１４０，２４０）に支持部（４５，１４５，２４５）を一体成形してあり、該支持部で戻しばね（３５，１３５，２３５）を支えるようになっており、該戻しばねの力に抗して前記接極子（３３，１３３，２３３）は、前記弁挿入スリーブ（３２，１３２，２３２）に向かって運動するようになっている請求項１から８のいずれか１項に記載の電磁弁。
【請求項１０】
前記弁カートリッジ（３０，１３０，２３０）は、弁挿入スリーブ（３２，１３２，２３２）に一体成形されたかしめ止めフランジ（３６，１３６，２３６）を介して、流体装置（６０，１６０，２６０）のかしめ止め領域（６１，１６１，２６１）にかしめ止めされており、前記弁スリーブ（４０，１４０）若しくは前記第１のフィルター（２５０）は圧入部（４４，１４４，２５４）を介して前記流体装置（６０，１６０，２６０）に対してシールされている請求項１から９のいずれか１項に記載の電磁弁。
【発明の詳細な説明】
【技術分野】
【０００１】
本発明は、電磁石構成ユニット及び弁カートリッジを備える電磁弁であって、前記弁カートリッジはカプセル、該カプセルと結合された弁挿入部分（弁構成部分）、及び前記カプセル内に可動に配置された接極子を含んでおり、前記接極子は作動ロッド（棒状又はロッド状の作動部材）及び、該作動ロッドに設けられた第１の閉鎖部材（弁閉鎖体）を含んでおり、前記電磁石構成ユニットを用いて形成される磁力によって前記接極子は前記弁挿入体に向けて運動させるようになっており、該運動により前記第１の閉鎖部材は主弁座に入り込んで該主弁座を閉鎖若しくは密閉するようになっている形式のものに関する。
【０００２】
従来の電磁弁、殊に例えばアンチロックシステム（ＡＢＳ）、アンチスキッドシステム（ＡＳＲ・システム）若しくは車両走行安定化のための電子式のスタビライザープログラムシステム（ＥＳＰ・システム）に使用される流体装置のための従来の電磁弁を、図１に示してある。図１に示してあるように、無電流開放式の従来の電磁弁１は、筒形ケーシング若しくはケーシング壁３、巻体支持部４、コイル巻体５及びカバープレート６から成っていて磁束形成のための電磁石構成ユニット２と、カプセル１１、例えば冷間鍛造部品として形成された弁構成部分若しくは弁挿入体１２、接極子１３、該接極子に結合された作動ロッド１４及び戻しばね１５から成っている弁カートリッジ１０とを含んでいる。電磁石構成ユニット２は磁束、つまり磁力を形成し、該磁力は、作動ロッド１４を備える軸線方向運動可能（長手方向運動可能）な接極子１３を、戻しばね１５の力に抗して弁挿入体１２に向けて運動（移動）させるようになっている。巻体支持部４上に巻成されたコイル巻体５は、電気的なコイルを形成しており、該電気的なコイルは電気的な接続部７を介して制御されるようになっている。弁挿入体１２は、電磁石構成ユニット２からカバープレート６を経て導入された磁束を、軸線方向で空隙８を介して接極子１３に向けて導くようになっている。電気的な接続部７を介してコイル巻体５に給電して、磁束を形成することにより、接極子１３は戻しばね１５の力に抗して弁挿入体１２に向けて運動させられる。
弁挿入体１２はさらに精密な弁本体１６を受容しており、弁本体１６は主弁座１７を含んでおり、主弁座１７内には作動ロッド１４の、シール球欠として形成された第１の閉鎖部材１４．１を密に入り込ませ、つまり第１の閉鎖部材（閉鎖エレメント）を主弁座に密に接触させて、電磁弁１のシール機能若しくは閉鎖機能を生ぜしめるようになっている。さらに図１に示してあるように、例えば鋼部品として形成された弁本体１６には、プラスチック製の弁下方部分２０を差し込んであり、弁下方部分２０は逆止弁の弁座２１を有しており、逆止弁は方向の規定された流過機能を生ぜしめ、つまり流体を所定の方向で流過させるようになっている。弁下方部分２０は逆止弁用の第２の閉鎖部材２２を案内していると共に、流体装置６０に対するシール部２４を含んでおり、流体装置６０内には電磁弁１をかしめ加工若しくは塑性変形加工により固着するようになっている。第２の閉鎖部材２２の行程は、弁下方部分２０内に差し込まれている行程画定部分２３若しくはストッパーによって画定（規定）されている。
【０００３】
請求項１に記載の構成に基づく本発明の電磁弁によれば、弁挿入部分（弁構成部分）は弁挿入スリーブとして形成されており、該弁挿入スリーブ内に弁スリーブを押し込んであり、該弁スリーブは主弁座を含んでいる。弁挿入スリーブ及び弁スリーブは、有利には経済的な深絞りにより成形され、つまり深絞り部品として形成され、この場合に本来の弁座は、塑性変形加工によって、有利にはエンボス加工若しくは圧印加工によって深絞り部品に成形される。主弁座を含む弁スリーブ及び弁挿入スリーブは、本発明の電磁弁の弁カートリッジの構成部分であり、弁カートリッジは、弁挿入スリーブに結合されたカプセル、及びカプセル内に可動に配置された接極子を含んでおり、接極子は作動ロッドを含んでおり、作動ロッドは第１の閉鎖部材若しくは閉鎖部を備えている。さらに本発明の電磁弁は電磁石構成ユニットを含んでおり、電磁石構成ユニットは磁力を形成し、磁力は接極子を弁挿入スリーブに向けて運動させるようになっており、これにより第１の閉鎖部材は主弁座内に入り込んで、主弁座を密に閉鎖するようになっている。
【０００４】
請求項１に記載の電磁弁の有利な実施態様を従属項に記載してある。
【０００５】
特に有利な実施態様では、弁スリーブは深絞り部品として形成されており、該深絞り部品に、主弁座及び逆止弁用弁座を塑性変形加工により、有利にはエンボス加工若しくは圧印加工により成形してある。１つの実施態様では、弁スリーブは下方が開かれた、つまり接極子とは逆の側の端部が開かれた深絞り部品として形成されており、該深絞り部品内に開かれた端部から弁本体を押し込んであり、若しくは圧入してあり、該弁本体に、主弁座及び逆止弁用弁座を配置（成形）してある。別の実施態様では、第１のフィルターを設けてあり、第１のフィルターは逆止弁用弁座を含んでおり、つまり第１のフィルターに逆止弁用弁座を成形してある。逆止弁用弁座の開閉のために、第２の閉鎖部材を設けてあり、第２の閉鎖部材は、有利にはシールボール（閉鎖球体）として形成されていて、１つの容積流の流れ方向に依存して逆止弁用弁座を閉鎖若しくは開放するようになっている。第２の閉鎖部材の行程は、例えば第１のフィルターによって画定（規定）されていてよい。
【０００６】
本発明の電磁弁の構成においては、第１の容積流が第２の閉鎖部材を逆止弁用弁座内へ押圧して逆止弁用弁座に密に接触させ、つまり第２の閉鎖部材は、第１の容積流によって逆止弁用弁座内へ押圧されるようになっており、この場合に第１の容積流は、主弁座の開閉のための第１の閉鎖部材によって制御されるようになっている。第１の容積流とは逆向きに流れる第２の容積流は、第２の閉鎖部材を逆止弁用弁座から押し出して、逆止弁を解法するようになっており、つまり第２の閉鎖部材は、第１の容積流とは逆に流れる第２の容積流によって逆止弁用弁座から押し出されて、逆止弁用弁座を開放するようになっている。
【０００７】
本発明の電磁弁の別の実施態様では、弁スリーブに支持部を一体成形し、若しくは固着してあり、該支持部（支持部材）に戻しばねを支持してあり、つまり支持部で戻しばねを支えてあり、該戻しばねの力に抗して接極子は、弁挿入スリーブに向かって運動するようになっている。これによって戻しばねは、流れ領域の外側に配置され、つまり弁挿入スリーブの上方の区分に配置されるようになっている。さらに弁カートリッジは、弁挿入スリーブに一体成形されたかしめ止めフランジを介して、流体装置のかしめ止め領域に、かしめ加工により密に固着され、つまりかしめ止めされており、この場合に弁スリーブ若しく第１のフィルターは圧入部を介して流体装置に対してシール若しくは密閉されている。
【０００８】
本発明の有利な実施例を図面に示してある。類似の符号で示す構成部分は、同一の機能若しくは類似の機能を生ぜしめるものである。
【図面の簡単な説明】
【０００９】
【図１】従来の電磁弁の概略的な断面図である。
【図２】本発明の電磁弁の弁カートリッジの第１の実施例の概略的な断面図である。
【図３】本発明の電磁弁の弁カートリッジの第２の実施例の概略的な断面図である。
【図４】本発明の電磁弁の弁カートリッジの第３の実施例の概略的な断面図である。
【００１０】
図２に示してあるように、本発明に基づく電磁弁、例えば無電流開放式の電磁弁のための第１の実施例の弁カートリッジ３０は、カプセル３１、深絞り部品として形成された弁挿入スリーブ３２、作動ロッド３４及び閉鎖部材３４．１を含む接極子３３、戻しばね３５、主弁座４１及び逆止弁用弁座４２を含む弁スリーブ４０を備えている。弁スリーブ４０は、実施例では同じく深絞り部品（深絞り構成部分）として形成されており、該深絞り部品に主弁座４１及び逆止弁用弁座４２を塑性変形加工によって、有利にはエンボス加工若しくは圧印加工によって成形してある。接極子３３を可動に、つまり軸線方向運動可能に受容並びに案内しているカプセル３１は、弁挿入スリーブ３２に被せ嵌められていて、シール溶接部３９によって、例えばレーザー溶接部によって弁挿入スリーブ３２に固定されている。シール溶接部３９は外部に対する密閉のためにも用いられている。接極子３３は、図示省略の電磁石構成ユニットによって生ぜしめられた磁力、及び空隙３８を介して導かれた磁束を用いて、弁スリーブ４０に一体成形された支持部４５に支えられた戻しばね３５の力に抗して、軸線方向で弁挿入スリーブ３２の磁極面３７に向けて引っ張られ、つまり吸引されるようになっている。接極子の該軸線方向の吸引、つまり移動運動によって、作動ロッド３４の、第１の閉鎖部材３４．１として形成された端部は、弁スリーブ４０の主弁座４１内へ移動させられ、その結果、下方から、実施例ではシール球欠若しくは球欠状シール部として形成された第１の閉鎖部材３４．１に向かって圧力下で流れる第１の容積流７０は制御されるようになっている。戻しばね３５は無電流状態で主弁座４１を開放したままに保っている。
【００１１】
大きな流過横断面を得るために、弁スリーブ４０内に逆止弁を設け、つまり逆止弁用弁座４２を設けてあり、逆止弁用弁座４２は、実施例ではシール球体として形成された第２の閉鎖部材４３によって、容積流の流れ方向に依存して開閉されるようになっている。その結果、逆止弁は流れ方向の規定された流過機能を生ぜしめるようになっている。図示の実施例では第２の閉鎖部材４３は、第１の容積流７０が生じた場合に逆止弁用弁座４２を閉鎖し、かつ第２容積流７１が生じた場合に逆止弁用弁座４２を開放するようになっており、前記第２の容積流７２は、前記第１の容積流７０の流れ方向と逆向きの流れ方向を有している。さらに第２の閉鎖部材４３の行程は、逆止弁用弁座４２の下方に配置された第１のフィルター５０によって画定されており、該フィルターは図示の実施例では扁平フィルターとして形成されていて、第２の閉鎖部材４３の位置を決定している。扁平フィルターとして形成された前記第１のフィルターは、第１の容積流７０をろ過するようになっており、実施例で半径方向流用フィルター若しくは円筒形フィルターとして形成された第２のフィルター５１は、第２の容積流７１をろ過するようになっている。
【００１２】
図２に示してあるように、本発明に基づく電磁弁の弁カートリッジ３０は、弁挿入スリーブ３２に一体成形されたかしめ止めフランジ３６を介して流体装置６０のかしめ止め領域にかしめ止め（かしめ加工）により固定されるようになっており、この場合に弁スリーブ４０は圧入部４４を介して流体槽値６０に対してシール（密閉）され、これによって流体回路の漏れを防止している。
【００１３】
図３に示してあるように、第２の実施例の弁カートリッジ１３０は、図２の第１の実施例に類似して、カプセル１３１、深絞り部品として形成された弁挿入スリーブ１３２、作動ロッド１３４及び第１の閉鎖部材１３４．１を含む接極子１３３、戻しばね１３５、及び弁スリーブ１４０を備えている。弁スリーブ１４０は、第１の実施例と異なり下方が開いた深絞り部品（深絞り構成部分）として形成されており、該深絞り部品に主弁座１８１及び逆止弁用弁座１８２を備えた弁本体１８０が押し込まれている。主弁座１８１及び逆止弁用弁座１８２を備えた弁本体１８０は、打ち抜き加工部品又はエンボス加工部品若しくは圧印加工部品として形成されている。接極子１３３を長手方向移動可能に案内（受容）しているカプセル１３１は、弁挿入スリーブ１３２上に被せ嵌められていて、シール溶接部１３９、例えばレーザー溶接継ぎ目（レーザー溶接接合部）によって弁挿入スリーブ１３２に固定されており、この場合にシール溶接部１３９は付加的に外部に対して密閉作用（シール作用）を生ぜしめている。接極子１３３は、図示省略の電磁石構成ユニットによって形成された磁力及び空隙１３８を介して導かれた磁束を用いて、弁スリーブ１４０に一体成形された支持部１４５に支えられた戻しばね１３５の力に抗して、軸線方向で弁挿入スリーブ１３２の磁極面１３７に向けて吸引されるようになっている。このような吸引（運動）によって、作動ロッド１３４の、閉鎖部材１３４．１として形成された端部は、弁部材１８０の主弁座１８１内へ押し込まれ、その結果、下方から球欠状シール部として形成された第１の閉鎖部材１３４．１に押圧作用を生ぜしめる第１の容積流１７０が制御されるようになっている。戻しばね１３５は無電流状態で主弁座１８１を開放している。
【００１４】
大きな流過断面を得るために、逆止弁を、つまり逆止弁用弁座１８２を弁部材１８０に設けてあり、逆止弁用弁座は、実施例ではシール球体として形成された第２の閉鎖部材１８３によって容積流の流れ方向に依存して開閉されるようになっている。このようにして逆止弁は方向の規定された流過機能を生ぜしめるようになっている。図示の実施例では第２の閉鎖部材１８３は、第１の容積流１７０が生じる場合に、逆止弁用弁座１８２を閉鎖し、かつ第１の容積流１７０の流れ方向と逆向きの流れ方向を有する第２の容積流１７１が生じる場合に、逆止弁用弁座１８２を開放するようになっている。さらに、逆止弁用弁座１８２の下側に配置された第２のフィルター１５０によって、第２の閉鎖部材１８３の行程を画定して、第２の閉鎖部材１８３の位置を固定している。第２のフィルター１５０は実施例では扁平フィルターとして形成されていて、同じく下方の開いた弁スリーブ１４０内に押し込まれている。扁平フィルターとして形成された第１のフィルター１５０は、第１の容積流１７０をろ過し、実施例で半径方向流用フィルター若しくは円筒形フィルターとして形成された第２のフィルター１５１は、第２の容積流１７１をろ過するようになっている。
【００１５】
図３に示してあるように、本発明に基づく電磁弁の弁カートリッジ１３０は、弁挿入スリーブ１３２に一体成形されたかしめ止めフランジ１３６を介して、流体装置１６０のかしめ止め領域にかしめ止め（かしめ加工）により固定されるようになっており、この場合に弁スリーブ１４０は圧入部４４を介して流体槽値６０に対してシール（密閉）され、これによって流体回路の漏れを防止している。
【００１６】
図４に示してあるように、第３の実施例の弁カートリッジ２３０は、図２若しくは図３の実施例に類似して、カプセル２３１、深絞り部品として形成された弁挿入スリーブ２３２、作動ロッド２３４及び第１の閉鎖部材２３４．１を含む接極子２３３、戻しばね２３５、及び弁スリーブ２４０を備えている。弁スリーブ２４０は、同じく深絞り部品として形成されていて、第１の実施例の弁スリーブ４０及び第２の実施例の弁スリーブ１４０と異なり、主弁座２４１だけを含んでおり、該主弁座は塑性変形加工によって、有利にはエンボス加工若しくは圧印加工によって弁スリーブ２４０に成形されているのに対して、逆止弁用弁座２５２は、弁スリーブ２４０に被せ嵌められた第１のフィルター２５０に配置（成形）されている。接極子２３３を軸線方向運動可能に受容並びに案内しているカプセル２３１は、弁挿入スリーブ２３２に被せ嵌められていて、シール溶接部２３９によって、例えばレーザー溶接部によって弁挿入スリーブ２３２に固定されている。シール溶接部２３９は外部に対する密閉（シール）のためにも用いられている。接極子２３３は、図示省略の電磁石構成ユニットによって生ぜしめられた磁力、及び空隙２３８を介して導かれた磁束を用いて、弁スリーブ２４０に固着された支持部２４５に支えられた戻しばね２３５の力に抗して、軸線方向で弁挿入スリーブ２３２の２磁極面３７に向けて吸引されるようになっている。接極子の該軸線方向の吸引、つまり移動運動によって、作動ロッド２３４の、第１の閉鎖部材２３４．１として形成された端部は、弁スリーブ２４０の主弁座２４１内へ移動させられ、その結果、下方から、実施例ではシール球欠若しくは球欠状シール部として形成された第１の閉鎖部材２３４．１に向かって圧力下で流れる第１の容積流２７０は制御されるようになっている。戻しばね２３５は無電流状態で主弁座２４１を開放している。
【００１７】
大きな流過横断面を得るために、逆止弁の逆止弁用弁座２５２を第１のフィルター２５０に設けてあり、該フィルターは弁スリーブ２４０に被せ嵌められている。逆止弁用弁座２５２は、実施例ではシール球体として形成された第２の閉鎖部材２５３によって、容積流の流れ方向に依存して開閉されるようになっている。これにより、逆止弁は流れ方向が規定された流過機能を生ぜし、つまり所定の流れ方向で流体を流過させるようになっている。図示の実施例では第２の閉鎖部材２５３は、第１の容積流２７０が生じた場合に逆止弁用弁座２５２を閉鎖し、かつ、前記第１の容積流２７０の流れ方向と逆向きの流れ方向を有する第２容積流２７１が生じた場合に逆止弁用弁座４２を開放するようになっている。さらに第２の閉鎖部材２５３の行程は、第１のフィルター２５０内に画定されている。第１のフィルター２５０は図示の実施例では扁平フィルターとして形成されていて、第２の閉鎖部材２５３の位置を決定している。扁平フィルターとして形成された第１のフィルター２５０は、第１の容積流２７０をろ過するようになっており、実施例で半径方向流用フィルター若しくは円筒形フィルターとして形成された第２のフィルター２５１は、第２の容積流２７１をろ過するようになっている。
【００１８】
図４に示してあるように、本発明に基づく電磁弁の弁カートリッジ２３０は、弁挿入スリーブ２３２に一体成形されたかしめ止めフランジ２３６を介して流体装置２６０のかしめ止め領域にかしめ止め（かしめ加工）により固定されるようになっており、この場合に弁スリーブ２４０に被せ嵌められた第１のフィルター２５０は、圧入部２５４を介して流体槽値２６０に対してシール（密閉）され、これによって流体回路の漏れを防止している。
【００１９】
磁力及び磁束を形成する図示省略の電磁石構成ユニット（マグネット構成部分）は、
各実施例の弁カートリッジ３０，１３０，２３０内の接極子３３，１３３，２３３を給電時に弁挿入スリーブ３２，１３２，２３２の磁極面３７，１３７，２３７に向けて運動させるために、図１に示す電磁石構成ユニット２に類似して構成されていてよく、ケーシング壁３、巻体支持部４、コイル巻体５及びカバープレート６を含んでおり、この場合に巻体支持部４上に巻成されたコイル巻体５は電気的なコイルを形成しており、該電気的なコイルは電気的な接続部７を介して制御されるようになっている。
【００２０】
本発明に基づく電磁弁は、プラスチック部品に対比して温度変化及び湿度変化の影響を受けにくくかつ漏れの生じにくい小数の構成部品で形成されていて有利である。さらに本発明に基づく電磁弁の、深絞り部品として形成される弁挿入スリーブ及び弁スリーブは、手間のかかる旋削部品や冷間鍛造部品と代替され得る安価な精密部品である。本発明に基づく電磁弁は、例えばアンチロックシステム（ＡＢＳ）、アンチスキッドシステム（ＡＳＲ・システム）若しくは電子式のスタビライザープログラムシステム（ＥＳＰ・システム）に使用される流体装置に用いられ得るものである。
【符号の説明】
【００２１】
１  電磁弁、  ２  電磁石構成ユニット、  ３  ケーシング壁、  ４  巻体支持部、  ５  コイル巻体、  ６  カバープレート、  ７  接続部、  ８  空隙、  １０  弁カートリッジ、  １１  カプセル、  １２  弁挿入体、  １３  接極子、  １４  作動ロッド、  １４．１  閉鎖部材、  １５  戻しばね、  １６  弁本体、  １７  主弁座、  ２２  閉鎖部材、  ２３  行程画定部分、  ３０  弁カートリッジ、  ３１  カプセル、  ３２  弁挿入スリーブ、  ３３  接極子、  ３４  作動ロッド、  ３４．１  閉鎖部材、  ３５  戻しばね、  ３７  磁極面、  ３９  シール溶接部、  ４０  弁スリーブ、  ４１  主弁座、  ４２  逆止弁用弁座、  ４３  閉鎖部材、  ５０，５１  フィルター、  ７０，７１  容積流、  １３３  接極子、  １５０，１５１  フィルター、  １８０  弁部材、  １８１  主弁座、  １８２  逆止弁用弁座、  １８３  閉鎖部材、  ２３３  接極子、  ２３６  かしめ止めフランジ、  ２４０  弁スリーブ、  ２５０，２５１  フィルター、  ２５２  逆止弁用弁座、  ２５３  閉鎖部材、  ２５４  圧入部、  ２６０  流体装置
【図１】
2010510446.tif 000003
【図２】
2010510446.tif 000004
【図３】
2010510446.tif 000005
【図４】
2010510446.tif 000006
【国際調査報告】
2010510446.tif 000007
2010510446.tif 000008
2010510446.tif 000009
2010510446.tif 000010
2010510446.tif 000011
2010510446.tif 000012